(57)【要約】共有ネットワーク及びプロプライアタリ・ネットワークを有する通信システム上でマルチメディア放送マルチキャスト・サービス（ＭＢＭＳ）を提供する方法は、共有ネットワークを介するＭＢＭＳコンテンツ配信をサポートするよう放送マルチキャスト・サービス・センタ（ＢＭ−ＳＣ）のロジック要素の第１の部分を割り当てるステップと、プロプライアタリ・ネットワークを介するＭＢＭＳコンテンツ配信をサポートするようＢＭＳＣのロジック要素の第２の部分を割り当てるステップとを有する。
2010527211.tif 000002
【特許請求の範囲】
【請求項１】
複数のロジック要素を有する放送マルチキャスト・サービス・センタ（ＢＭ−ＳＣ）と、マルチメディア放送マルチキャスト・サービス（ＭＢＭＳ）コンテンツを提供する共有ネットワーク及びプロプライアタリ・ネットワークとを有する通信システムを介してＭＢＭＳを提供する方法であって、
前記共有ネットワークを介するＭＢＭＳコンテンツ配信をサポートするようロジック要素の第１の部分を割り当てるステップと、
前記プロプライアタリ・ネットワークを介するＭＢＭＳコンテンツ配信をサポートするようロジック要素の第２の部分を割り当てるステップと
を有する方法。
【請求項２】
前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップは、ＭＢＭＳコンテンツ配信が前記共有ネットワーク又は前記プロプライアタリ・ネットワークのうち少なくとも１つに送られるかどうかに基づく、請求項１記載の方法。
【請求項３】
前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップは、ＭＢＭＳコンテンツがＭＢＭＳネットワークを共有するサービス・プロバイダの間で共通であるかどうかに基づく、請求項１記載の方法。
【請求項４】
前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップは、ＭＢＭＳコンテンツ配信が前記プロプライアタリ・ネットワークのオペレータ専用であるかどうかに基づく、請求項１記載の方法。
【請求項５】
ＢＭ−ＳＣのロジック要素の一部を割り当てるステップは、ＭＢＭＳコンテンツ配信をトリガするストリーミング・サーバ・ロジックを割り当てるステップを有する、請求項１記載の方法。
【請求項６】
ＭＢＭＳコンテンツ配信をトリガするストリーミング・サーバ・ロジックは、前記共有ネットワークを介するＭＢＭＳコンテンツ配信をトリガするよう前記ロジック要素の第１の部分、及び前記プロプライアタリ・ネットワークを介するＭＢＭＳコンテンツ配信をトリガするよう前記ロジック要素の第２の部分の両方で割り当てられる、請求項５記載の方法。
【請求項７】
ＢＭ−ＳＣのロジック要素の一部を割り当てるステップは、トランスポート・キー配信をトリガするストリーミング・サーバ・ロジックを割り当てるステップを有する、請求項１記載の方法。
【請求項８】
前記トランスポート・キー配信をトリガするストリーミング・サーバ・ロジックは、前記共有ネットワークを介するトランスポート・キー配信をトリガするよう前記ロジック要素の第１の部分、及び前記プロプライアタリ・ネットワークを介するトランスポート・キー配信をトリガするよう前記ロジック要素の第２の部分の両方で割り当てられる、請求項７記載の方法。
【請求項９】
前記共有ネットワークを介して遠隔通信ユニットによってマルチメディア放送マルチキャスト・サービスを受信するステップと、
前記共有ネットワークからの補償範囲の外にあることを前記遠隔通信ユニットによって検出するステップと、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するステップと
を更に有する請求項１記載の方法。
【請求項１０】
前記プロプライアタリ・ネットワークを介するＭＢＭＳコンテンツ配信をサポートするようＢＭ−ＳＣのロジック要素の第２の部分を割り当てるステップは、前記プロプライアタリ・ネットワークへ管理モジュール・ロジックを割り当てるステップを有する、請求項１記載の方法。
【請求項１１】
前記プロプライアタリ・ネットワークへ管理モジュール・ロジックを割り当てるステップは、前記ＭＢＭＳコンテンツ配信のサービス記述の構成及び分配を行うステップを有する、請求項１０記載の方法。
【請求項１２】
前記ＭＢＭＳコンテンツ配信のサービス記述の構成及び分配を行うステップは、前記ＭＢＭＳコンテンツ配信を保護するトランスポート・キー及びサービス・キーを生成するステップを有する、請求項１１記載の方法。
【請求項１３】
前記共有ネットワーク又は前記プロプライアタリ・ネットワークを介してＭＢＭＳコンテンツを配信する前に、前記トランスポート・キーにより前記ＭＢＭＳコンテンツを暗号化するステップを更に有する、請求項１２記載の方法。
【請求項１４】
暗号化された前記ＭＢＭＳコンテンツを配信する前に、前記サービス・キーにより暗号化された前記トランスポート・キーを前記共有ネットワーク又は前記プロプライアタリ・ネットワークのうち少なくとも１つを介してブロードキャスト／マルチキャストのために前記ＢＭ−ＳＣに転送するステップを更に有する、請求項１３記載の方法。
【請求項１５】
前記プロプライアタリ・ネットワークはネットワークオペレータ・ネットワークである、請求項１記載の方法。
【請求項１６】
共有ネットワーク及びプロプライアタリ・ネットワークを有する通信システムを介してマルチメディア放送マルチキャスト・サービス（ＭＢＭＳ）を提供する放送マルチキャスト・サービス・センタ（ＢＭ−ＳＣ）であって、
前記共有ネットワークを介するＭＢＭＳコンテンツ配信をサポートすることができるロジック要素の第１の部分と、
前記プロプライアタリ・ネットワークを介するＭＢＭＳコンテンツ配信をサポートすることができるロジック要素の第２の部分と
を有する放送マルチキャスト・サービス・センタ。
【請求項１７】
ＭＢＭＳコンテンツ配信が前記共有ネットワーク又は前記プロプライアタリ・ネットワークのうち少なくとも１つに送られるかどうかに基づいて前記第１の部分及び前記第２の部分へロジック要素を割り当てるよう配置されるロジックを更に有する、請求項１６記載の放送マルチキャスト・サービス・センタ。
【請求項１８】
ＭＢＭＳコンテンツがＭＢＭＳネットワークを共有するサービス・プロバイダの間で共通であるかどうかに基づいて前記第１の部分及び前記第２の部分へロジック要素を割り当てるよう配置されるロジックを更に有する、請求項１６記載の放送マルチキャスト・サービス・センタ。
【請求項１９】
ＭＢＭＳコンテンツ配信が前記プロプライアタリ・ネットワークのオペレータ専用であるかどうかに基づいて前記第１の部分及び前記第２の部分へロジック要素を割り当てるよう配置されるロジックを更に有する、請求項１６記載の放送マルチキャスト・サービス・センタ。
【請求項２０】
ＭＢＭＳコンテンツ配信をトリガするストリーミング・サーバ・ロジックを更に有する、請求項１６記載の放送マルチキャスト・サービス・センタ。
【請求項２１】
トランスポート・キー配信をトリガするストリーミング・サーバ・ロジックを更に有する、請求項１６記載の放送マルチキャスト・サービス・センタ。
【請求項２２】
前記共有ネットワークを介するトランスポート・キー配信をトリガするよう前記ロジック要素の第１の部分、及び前記プロプライアタリ・ネットワークを介するトランスポート・キー配信をトリガするよう前記ロジック要素の第２の部分の両方でトランスポート・キー配信をトリガするストリーミング・サーバ・ロジックを更に有する、請求項１６記載の放送マルチキャスト・サービス・センタ。
【請求項２３】
前記共有ネットワークを介するＭＢＭＳコンテンツ配信をトリガするよう前記ロジック要素の第１の部分、及び前記プロプライアタリ・ネットワークを介するＭＢＭＳコンテンツ配信をトリガするよう前記ロジック要素の第２の部分の両方でストリーミング・サーバ・ロジックを更に有する、請求項１６記載の放送マルチキャスト・サービス・センタ。
【請求項２４】
前記共有ネットワークを介して遠隔通信ユニットから実時間ストリーミング・プロトコル（ＲＴＳＰ）を受信し、前記共有ネットワークからの補償範囲の外であると前記遠隔通信ユニットが検出することに応答して、当該放送マルチキャスト・サービス・センタが前記共有ネットワークを介して送信しているのと同じコンテンツ配信を前記プロプライアタリ・ネットワークを介して送信することができる受信器を更に有する、請求項１６記載の放送マルチキャスト・サービス・センタ。
【請求項２５】
ロジック要素を割り当てるよう配置される前記ロジックは、前記プロプライアタリ・ネットワークを介するＭＢＭＳコンテンツ配信をサポートするよう前記ロジック要素の第２の部分へ管理モジュール・ロジックを割り当てる、請求項１６記載の放送マルチキャスト・サービス・センタ。
【請求項２６】
前記管理モジュール・ロジックは、前記プロプライアタリ・ネットワークを介して遠隔通信ユニットへ送信するために前記ＭＢＭＳコンテンツのサービス記述の構成及び分配を行うことができる、請求項２５記載の放送マルチキャスト・サービス・センタ。
【請求項２７】
前記管理モジュール・ロジックは、前記ＭＢＭＳコンテンツ配信を保護するトランスポート・キー及びサービス・キーを生成することができる、請求項２５記載の放送マルチキャスト・サービス・センタ。
【請求項２８】
前記管理モジュール・ロジックは、前記共有ネットワーク又は前記プロプライアタリ・ネットワークのうち少なくとも１つを介してＭＢＭＳコンテンツを配信する前に、前記トランスポート・キーにより前記ＭＢＭＳコンテンツを暗号化する暗号化ロジックを有する、請求項２７記載の放送マルチキャスト・サービス・センタ。
【請求項２９】
暗号化された前記ＭＢＭＳコンテンツを配信する前に、前記サービス・キーにより暗号化されている前記トランスポート・キーを転送するロジックを更に有する、請求項２８記載の放送マルチキャスト・サービス・センタ。
【請求項３０】
暗号化されている配信コンテンツを復号化するよう少なくとも１つの遠隔通信ユニットへ前記サービス・キーを転送するロジックを更に有する、請求項２９記載の放送マルチキャスト・サービス・センタ。
【請求項３１】
前記プロプライアタリ・ネットワークはネットワークオペレータ・ネットワークである、請求項１６記載の放送マルチキャスト・サービス・センタ。
【請求項３２】
共有ネットワーク及びプロプライアタリ・ネットワークを有する通信システムを介してマルチメディア放送マルチキャスト・サービス（ＭＢＭＳ）を受信する遠隔ステーションであって、
前記共有ネットワークを介して放送マルチキャスト・サービス・センタ（ＢＭ−ＳＣ）からのＭＢＭＳコンテンツ配信を受信する受信器を有し、
前記受信器は、また、ＭＢＭＳコンテンツ配信及び少なくとも１つのトランスポート・キーのうち少なくとも１つを、同じＢＭ−ＳＣ及び異なるＢＭ−ＳＣのうち少なくとも１つから前記プロプライアタリ・ネットワークを介して受信することができる、遠隔ステーション。
【請求項３３】
共有ネットワーク及びプロプライアタリ・ネットワークを有する通信システムを介してマルチメディア放送マルチキャスト・サービス（ＭＢＭＳ）を受信する遠隔ステーションであって、
前記共有ネットワークを介してマルチメディア放送マルチキャスト・サービスを受信する受信器と、
前記共有ネットワークからの補償範囲の外にあることを検出する検出器と、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するロジックと
を有する遠隔ステーション。
【請求項３４】
共有ネットワーク及びプロプライアタリ・ネットワークを有し、マルチメディア放送マルチキャスト・サービス（ＭＢＭＳ）をサポートする通信システムであって、
前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有し、
前記ロジックは、また、前記プロプライアタリ・ネットワークを介するＭＢＭＳコンテンツ配信をサポートするよう前記ＢＭ−ＳＣのロジック要素の第２の部分を割り当てるよう配置される、通信システム。
【請求項３５】
マルチメディア放送マルチキャスト・サービス（ＭＢＭＳ）をサポートする実行可能なプログラムコードを有するコンピュータプログラムであって、
前記共有ネットワークを介するＭＢＭＳコンテンツ配信をサポートするよう放送マルチキャスト・サービス・センタ（ＢＭ−ＳＣ）のロジック要素の第１の部分を割り当てるプログラムコードと、
前記プロプライアタリ・ネットワークを介するＭＢＭＳコンテンツ配信をサポートするよう前記ＢＭ−ＳＣのロジック要素の第２の部分を割り当てるプログラムコードと
を有するコンピュータプログラム。
【請求項３６】
共有ネットワーク及びプロプライアタリ・ネットワークを有する通信システム上でマルチメディア放送マルチキャスト・サービス（ＭＢＭＳ）をサポートするよう配置される集積回路であって、
前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有し、
前記ロジックは、また、前記プロプライアタリ・ネットワークを介するＭＢＭＳコンテンツ配信をサポートするよう前記ＢＭ−ＳＣのロジック要素の第２の部分を割り当てるよう配置される、集積回路。
【発明の詳細な説明】
【技術分野】
【０００１】
本発明の分野は、概して、マルチメディア放送マルチキャスティング・サービスを提供する方法及び装置に関する。特に、しかし排他的ではなく、本発明の分野は、共有ネットワーク及びプロプライアタリ・ネットワーク上で同時にマルチメディア放送マルチキャスティング・サービスを提供することに関する。
【背景技術】
【０００２】
マルチメディア放送マルチキャスト・サービス（ＭＢＭＳ（Multimedia  Broadcast  Multicast  Service））は、例えば、汎用パケット無線システム（ＧＰＲＳ（General  Packet  Radio  System））ネットワーク、ユニバーサル移動体通信システム（ＵＭＴＳ（Universal  Mobile  Telecommunication  System））ネットワーク、及び次世代パケットシステム（ＥＰＳ（Evolved  Packet  System））等の移動体通信ネットワークで提供されるブロードキャスティング及びマルチキャスティング・サービスである。ＭＢＭＳのための技術仕様には、３ＧＰＰ  ＴＳ２２．１４６、３ＧＰＰ  ＴＳ２３．２４６及び３ＧＰＰ  ＴＳ２６．３４６が含まれる。
【０００３】
モバイルＴＶは、ＭＢＭＳを介して提供され得るサービスの一例である。モバイルＴＶは、移動体通信ネットワークを介して加入者に提供されるサービスであり、モバイル機器にテレビジョン・サービスを提供する。
【０００４】
図１は、共有ネットワークに基づいてＭＢＭＳを提供する既知のアーキテクチャ１００の例を表す。アーキテクチャ１００は、例えば、ＧＰＲＳ、ＵＭＴＳ及びＥＰＳネットワークのような、オペレータ・ネットワーク１１０を有する。
【０００５】
オペレータ・ネットワーク１１０は、１又はそれ以上のユーザ設備（ＵＥ（user  equipment））装置に結合される、例えば基地局等の通信ノード１１２を有する。ＵＥは、一例として、携帯電話機を有する。オペレータ・ネットワーク１１０は、放送マルチキャスト・サービス・センタ（ＢＭ−ＳＣ（Broadcast  Multicast  Service  Centre））１３０に結合されるゲートウェイＧＰＲＳサポート・ノード（ＧＧＳＮ）１１４を更に有する。
【０００６】
アーキテクチャ１００は、ＭＢＭＳネットワーク１４０を更に有する。オペレータ・ネットワーク１１０と同じように、ＭＢＭＳネットワーク１４０は、１又はそれ以上のＵＥ１２０に結合される通信ノード１４２と、ＢＭ−ＳＣ１３０に結合されるＧＧＳＮ１４４とを有する。ＭＢＭＳネットワーク１４０は、この場合に、共有ネットワークである。すなわち、ＭＢＭＳネットワーク１４０は、例えば、１よりも多いオペレータによるモバイルＴＶの提供のために利用されてよい。
【０００７】
図２は、例えば、当該技術で知られている図１のアーキテクチャを利用するＭＢＭＳを介したモバイルＴＶ等のサービスの提供の例を表す。
【０００８】
第１のＵＥ２１０は第１のオペレータ・ネットワーク２２０に結合され、第２のＵＥ２３０は第２のオペレータ・ネットワーク２４０に結合される。オペレータ・ネットワーク２２０及び２４０の夫々はＢＭ−ＳＣ２５０に結合される。ＢＭ−ＳＣ２５０は、更に、例えばモバイルＴＶコンテンツのようなコンテンツをブロードキャスティング／マルチキャスティング・コンテンツ・ストリームによりＵＥ２１０及び２３０に提供するよう配置される共有ＭＢＭＳネットワーク２６０に結合される。
【０００９】
ＢＭ−ＳＣ２５０は、オペレータに関するコンテンツを受信する。このコンテンツは、オペレータ・ネットワーク２２０及び２４０の１つに特有のコンテンツ、及び共通コンテンツである。
【００１０】
オペレータ・ネットワーク２２０及び２４０の夫々は、それらの夫々のＵＥ２１０及び２３０に利用可能なコンテンツを公開する情報を公示し、又は別なふうに提供する。すなわち、第１のオペレータ・ネットワーク２２０は、オペレータ＃１コンテンツ及び共通コンテンツを公開する情報を第１のＵＥ２１０に提供する。逆に、第２のオペレータ・ネットワーク２４０は、オペレータ＃２コンテンツ及び共通コンテンツを公開する情報を第２のＵＥ２３０に提供する。
【００１１】
次いで、ＵＥ２１０及び２３０は、自身が受信したい（例えば、加入したい）コンテンツをその夫々のオペレータ・ネットワーク２２０及び２４０に要求することができる。オペレータ・ネットワーク２２０及び２４０は、その後に、要求されたコンテンツをＢＭ−ＳＣ２５０に知らせ、その要求されたコンテンツが利用可能であるチャネルと、コンテンツにアクセスするために必要とされる何らかの暗号化キー等とをＵＥ２１０及び２３０に知らせる。次いで、ＢＭ−ＳＣ２５０は、共有ＭＢＭＳネットワーク２６０にコンテンツを提供する。共有ＭＢＭＳネットワーク２６０から、ＵＥ２１０及び２３０はコンテンツを入手することができる。
【発明の概要】
【発明が解決しようとする課題】
【００１２】
この既知のＭＢＭＳ実施に伴う問題は、オペレータ特有のコンテンツを含む全てのコンテンツが、ＭＢＭＳネットワークを介して提供されるために単一の共有ＢＭ−ＳＣに供給される必要があることである。これは、下記の様々な理由のためにオペレータの観点から望ましくない：
ｉ）オペレータが自身の管理領域外へコンテンツを配信することを認めない、オペレータとコンテンツ・プロバイダとの間の合意；
ｉｉ）オペレータは、例えばアクセス制御及びチャージング（charging）等のより高度なサービス機能を、信頼性の理由から、自身のネットワーク範囲内で提供したいと思うことがあること；及び
ｉｉｉ）オペレータは、権限を与えられたＢＭ−ＳＣプラットフォームを予め有することがあり、そのようなものとして、それらの利用可能な機能性を再利用したいと望みうること。
【００１３】
従って、例えば、既存の広帯域ＣＤＭＡコアネットワーク（例えば、３ＧＰＰ無線通信システム）は、ＭＢＭＳマルチメディア・ストリームの配信を考える場合に、分断されていることが好ましい。
【００１４】
従って、上記の欠点の１又はそれ以上が軽減される、共有ネットワークを介してマルチメディア放送マルチキャスト・サービスを提供する改善された方法及び装置が必要とされる。
【００１５】
然るに、本発明は、単一で又は何らかの組み合わせで、上記の欠点の１又はそれ以上を緩和し、軽減し又は取り除くことを目指す。
【課題を解決するための手段】
【００１６】
本発明の第１の側面に従って、複数のロジック要素を有する放送マルチキャスト・サービス・センタ（ＢＭ−ＳＣ）と、マルチメディア放送マルチキャスト・サービス（ＭＢＭＳ）コンテンツを提供する共有ネットワーク及びプロプライアタリ・ネットワークとを有する通信システムを介してＭＢＭＳを提供する方法が提供される。当該方法は、前記共有ネットワークを介するＭＢＭＳコンテンツ配信をサポートするようロジック要素の第１の部分を割り当てるステップと、前記プロプライアタリ・ネットワークを介するＭＢＭＳコンテンツ配信をサポートするようロジック要素の第２の部分を割り当てるステップとを有する。
【００１７】
本発明の任意の特徴に従って、当該方法は、前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップを有し、特定のロジック要素の割当ては、ＭＢＭＳコンテンツ配信が前記共有ネットワーク又は前記プロプライアタリ・ネットワークのうち少なくとも１つに送られるかどうかに基づく。このように、発明概念は、全てのロジック要素を複製する必要性を伴うことなく、単一のＢＭ−ＳＣから夫々のプロプライアタリ及び共通ＭＢＭＳコンテンツをサポートするようＢＭ−ＳＣの特定のロジック要素を割り当てることによって提供されてよい。
【００１８】
本発明の任意の特徴に従って、前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップは、ＭＢＭＳコンテンツがＭＢＭＳネットワークを共有するサービス・プロバイダの間で共通であるかどうかに基づいてよい。
【００１９】
本発明の任意の特徴に従って、前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップは、ＭＢＭＳコンテンツ配信が前記プロプライアタリ・ネットワークのオペレータ専用であるかどうかに基づいてよい。
【００２０】
本発明の任意の特徴に従って、ＢＭ−ＳＣのロジック要素の一部を割り当てるステップは、ＭＢＭＳコンテンツ配信をトリガするストリーミング・サーバ・ロジックを割り当てるステップを有する。このようにして、ＭＢＭＳコンテンツ配信のトリガは、ストリーミング・サーバ・ロジックによって調整されてよい。例えば、本発明の一実施形態で、前記ストリーミング・サーバ・ロジックは、前記共有ネットワークを介するＭＢＭＳコンテンツ配信をトリガするよう前記ロジックの第１の部分、及び前記プロプライアタリ・ネットワークを介するＭＢＭＳコンテンツ配信をトリガするよう前記ロジック要素の第２の部分の両方で割り当てられる。
【００２１】
本発明の任意の特徴に従って、ＢＭ−ＳＣのロジック要素の一部を割り当てるステップは、トランスポート・キー配信をトリガするストリーミング・サーバ・ロジックを割り当てるステップを有する。このようにして、暗号化されたコンテンツの配信は、ストリーミング・サーバ・ロジックによって調整されてよい。本発明の任意の実施例に従って、前記トランスポート・キー配信をトリガするストリーミング・サーバ・ロジックは、前記共有ネットワークを介するトランスポート・キー配信をトリガするよう前記ロジック要素の第１の部分、及び前記プロプライアタリ・ネットワークを介するトランスポート・キー配信をトリガするよう前記ロジック要素の第２の部分の両方で割り当てられ、それによって、前記共有ネットワーク及び前記プロプライアタリ・ネットワークの両方での暗号化コンテンツの配信を助ける。
【００２２】
本発明の任意の実施例に従って、管理モジュール・ロジックは、前記ＭＢＭＳコンテンツ配信のサービス記述の構成及び分配を行う。このサービス記述は、ＭＢＭＳコンテンツを要求するＵＥへ転送されてよい。
【００２３】
本発明の任意の実施例で、前記ＭＢＭＳコンテンツ配信の前記サービス記述は、前記ＭＢＭＳコンテンツ配信を保護するトランスポート・キー及びサービス・キーを生成することを有する。このようにして、前記ＭＢＭＳコンテンツ配信は、前記プロプライアタリ・ネットワークで送信される選択されたクラスのコンテンツについて暗号化されてよい。
【００２４】
本発明の任意の実施例で、前記トランスポート・キーによりＭＢＭＳコンテンツを暗号化することは、前記共有ネットワーク又は前記プロプライアタリ・ネットワークを介して前記ＭＢＭＳコンテンツを配信する前に行われる。本発明の任意の実施例で、前記サービス・キーを用いて暗合される前記トランスポート・キーは、前記共有ネットワーク又は前記プロプライアタリ・ネットワークのうち少なくとも１つでブロードキャスト／マルチキャストされる。
【００２５】
本発明の任意の実施例で、前記プロプライアタリ・ネットワークはネットワークオペレータ・ネットワークである。有利に、これは、ネットワークオペレータが、共有ネットワーク及びプロプライアタリ・ネットワークの両方をサポートする共有ＢＭ−ＳＣを用いて、例えば、上述されたようにコンテンツを暗号化することによって、自身の顧客へのＭＢＭＳコンテンツの配信を共有することを可能にする。
【００２６】
本発明の実施形態は、ネットワークオペレータが、自身がサポートするＵＥへのマルチキャスト／ブロードキャスト・ストリームの送信を行うために共有ネットワークを用いながら、自身がサポートするＵＥに対する暗号化キーの分配を制御することによって、その領域におけるコンテンツへのアクセス制御を保つことを可能にする。本発明の実施形態は、また、ネットワークオペレータが、共有ネットワークＢＭ−ＳＣとの相互接続を必要とすることなく、自身が提供するコンテンツのチャージングを行うことを可能にする。
【００２７】
本発明の第２の側面に従って、共有ネットワーク及びプロプライアタリ・ネットワークを有する通信システムを介してマルチメディア放送マルチキャスト・サービス（ＭＢＭＳ）を提供する放送マルチキャスト・サービス・センタ（ＢＭ−ＳＣ）が提供される。当該ＢＭ−ＳＣは、前記共有ネットワークを介するＭＢＭＳコンテンツ配信をサポートすることができるロジック要素の第１の部分と、前記プロプライアタリ・ネットワークを介するＭＢＭＳコンテンツ配信をサポートすることができるロジック要素の第２の部分とを有する。
【００２８】
本発明の第３の側面に従って、共有ネットワーク及びプロプライアタリ・ネットワークを有する通信システムを介してマルチメディア放送マルチキャスト・サービス（ＭＢＭＳ）を受信する遠隔ステーションが提供される。当該遠隔ステーションは、前記共有ネットワークを介して放送マルチキャスト・サービス・センタ（ＢＭ−ＳＣ）からのＭＢＭＳコンテンツ配信を受信する受信器を有し、該受信器は、また、ＭＢＭＳコンテンツ配信及び少なくとも１つのトランスポート・キーのうち少なくとも１つを、同じＢＭ−ＳＣ又は異なるＢＭ−ＳＣから前記プロプライアタリ・ネットワークを介して受信することができる。
【００２９】
本発明の第４の側面に従って、共有ネットワーク及びプロプライアタリ・ネットワークを有する通信システムを介してマルチメディア放送マルチキャスト・サービス（ＭＢＭＳ）を受信する遠隔ステーションが提供される。当該遠隔ステーションは、前記共有ネットワークを介してマルチメディア放送マルチキャスト・サービスを受信する受信器と、前記共有ネットワークからの補償範囲の外にあることを検出する検出器と、該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するロジックとを有する。
【００３０】
本発明の第５の側面に従って、共有ネットワーク及びプロプライアタリ・ネットワークを有し、マルチメディア放送マルチキャスト・サービス（ＭＢＭＳ）をサポートする通信システムが提供される。当該通信システムは、前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有し、該ロジックは、また、前記プロプライアタリ・ネットワークを介するＭＢＭＳコンテンツ配信をサポートするよう前記ＢＭ−ＳＣのロジック要素の第２の部分を割り当てるよう配置される。
【００３１】
本発明の第６の側面に従って、マルチメディア放送マルチキャスト・サービス（ＭＢＭＳ）をサポートする実行可能なプログラムコードを有するコンピュータプログラムプロダクトが提供される。当該コンピュータプログラムプロダクトは、前記共有ネットワークを介するＭＢＭＳコンテンツ配信をサポートするよう放送マルチキャスト・サービス・センタ（ＢＭ−ＳＣ）のロジック要素の第１の部分を割り当てるプログラムコードと、前記プロプライアタリ・ネットワークを介するＭＢＭＳコンテンツ配信をサポートするよう前記ＢＭ−ＳＣのロジック要素の第２の部分を割り当てるプログラムコードとを有する。
【００３２】
本発明の第７の側面に従って、共有ネットワーク及びプロプライアタリ・ネットワークを有する通信システムでマルチメディア放送マルチキャスト・サービス（ＭＢＭＳ）をサポートする集積回路が提供される。当該集積回路は、前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有する。このロジックは、また、前記プロプライアタリ・ネットワークを介するＭＢＭＳコンテンツ配信をサポートするよう前記ＢＭ−ＳＣのロジック要素の第２の部分を割り当てるよう配置される。
【００３３】
本発明のこれらの及び他の側面、特徴及び利点は、後述される実施形態から明らかであり、これらを参照して説明される。
【図面の簡単な説明】
【００３４】
【図１】マルチメディア放送マルチキャスト・サービス（ＭＢＭＳ）を提供する既知のアーキテクチャの例を表す。
【図２】図１の既知のアーキテクチャによるＭＢＭＳコンテンツの提供の例を表す。
【図３】本発明の実施形態に従う放送マルチキャスト・サービス・センタ（ＢＭ−ＳＣ）の副次機能構造を表す。
【図４】本発明の第１実施例に従ってブロードキャスト及び／又はマルチキャスト・コンテンツを提供する通信システムを表す。
【図５】図４のオペレータＢＭ−ＳＣ及び共有ＢＭ−ＳＣの機能要素の例を表す。
【図６】図４に表されている実施例についてＭＢＭＳサービスの提供のための信号伝達フローの例を表す。
【図７】ＭＢＭＳサービスのアクセスのための信号伝達フローの例を表す。
【図８】本発明の第２実施例に従ってブロードキャスト及び／又はマルチキャスト・コンテンツを提供するシステムを表す。
【図９】図８のオペレータＢＭ−ＳＣ及び共有ＢＭ−ＳＣの機能要素の例を表す。
【図１０】図８に表されている実施例についてＭＢＭＳサービスの提供のための信号伝達フローの例を表す。
【図１１】本発明の第３実施例に従ってブロードキャスト及び／又はマルチキャスト・コンテンツを提供するシステムを表す。
【図１２】図１１のオペレータＢＭ−ＳＣ及び共有ＢＭ−ＳＣの機能要素の例を表す。
【図１３】本発明の実施形態で処理機能を実施するために用いられてよい典型的なコンピュータ・システムを表す。
【発明を実施するための形態】
【００３５】
単なる一例として、添付の図面を参照して、本発明の実施形態について記載する。
【００３６】
本発明の下記の実施形態は、３ＧＰＰ  ＴＳ２２．１４６、３ＧＰＰ  ＴＳ２３．２４６及び３ＧＰＰ  ＴＳ２６．３４６で定義されるマルチメディア放送マルチキャスト・サービスに関連して記載される。なお、当業者には明らかなように、ここで記載される発明概念は、代替の同程度のサービスに適用されてよい。
【００３７】
本発明の実施形態に従って、複数のロジック要素を有する放送マルチキャスト・サービス・センタ（ＢＭ−ＳＣ）と、マルチメディア放送マルチキャスト・サービス（ＭＢＭＳ）コンテンツを提供する共有ネットワーク及びプロプライアタリ・ネットワークとを有する通信システムを介してＭＢＭＳを提供する装置及び方法が記載される。本発明の実施形態に従って、当該装置及び方法は、前記共有ネットワークを介するＭＢＭＳコンテンツ配信をサポートするようロジック要素の第１の部分を割り当てることと、前記プロプライアタリ・ネットワークを介するＭＢＭＳコンテンツ配信をサポートするようロジック要素の第２の部分を割り当てることとをサポートする。
【００３８】
本発明の実施形態に従って、ＢＭ−ＳＣのロジック要素の第１及び第２の部分を割り当てることは、ＭＢＭＳコンテンツ配信が共有ネットワーク又はプロプライアタリ・ネットワークへ送られるかどうか、及び／又はＭＢＭＳコンテンツがＭＢＭＳネットワークを共有するサービス・プロバイダの間で共通であるかどうか、及び／又はコンテンツ配信がプロプライアタリ・ネットワークのオペレータ専用であるかどうかに基づいてよい。
【００３９】
ここで図３を参照すると、放送マルチキャスト・サービス・センタ（ＢＭ−ＳＣ）３１０の副次機能構造３００が表されている。副次機能構造３００は、
（ｉ）サービス・アナウンス・ロジック３２０と、
（ｉｉ）セッション及び送信ロジック３３０と、
（ｉｉｉ）メンバーシップ・ロジック３４０と、
（ｉｖ）セキュリティ・ロジック３５０と、
（ｖ）プロキシ及びトランスポート・サーバ３６０と
を有する。
【００４０】
サービス・アナウンス・ロジック３２０は、マルチキャスト及びブロードキャストＭＢＭＳユーザ・サービスのためのサービス告示を提供する。サービス・アナウンス・ロジック３２０は、また、ＭＢＭＳユーザ・サービスの一部として配信されるメディアを特定するメディア記述をユーザ設備（ＵＥ）に提供してよく、また、例えば、マルチキャスト・サービス識別表示、アドレッシング、時間等、ＭＢＭＳユーザ・サービスの一部として配信されるＭＢＭＳセッションを特定するＭＢＭＳサービス記述をＵＥに提供してよい。
【００４１】
セッション及び送信ロジック３３０は、ＭＢＭＳ配信ロジック３３２及び関連する配信ロジック３３４を有する。具体的に、セッション及び送信ロジック３３０は、ＭＢＭＳセッション送信をスケジュールすることができるとともに、例えば、ゲートウェイＧＰＲＳサポート・ノード（ＧＧＳＮ）へ、プロキシ及びトランスポート・サーバ３６０を介してＭＢＭＳデータを送信することができる。セッション及び送信ロジック３３０は、外部から入来するサービスに対して認証及び権限付与を行い、それらからのコンテンツにアクセスすることができる。
【００４２】
メンバーシップ・ロジック３４０は、ＭＢＭＳサービスをアクティブにするよう求めているＵＥに認証を提供する。メンバーシップ・ロジック３４０は、ＭＢＭＳサービス・ユーザの加入者データを有してよく、ＭＢＭＳサービス・ユーザについてのチャージング記録を生成してよい。
【００４３】
キー・セキュリティ・ロジック３５０は、キー要求ロジック３５２及びキー分配ロジック３５６を有する。セキュリティ・ロジック３５０は、ＭＢＭＳデータのインテグリティ及び秘密性保護を提供するとともに、認定されているＵＥにＭＢＭＳキーを分配するために使用されてよい。
【００４４】
これらのロジック／機能要素は、本発明の一実施形態で本質的に異なっており、結果として、下記の論理構成要素の間で分配されることが可能な大部分である：
ｉ）管理モジュール；
ｉｉ）ストリーミング・サーバ；
ｉｉｉ）キー管理及び分配ロジック；及び
ｉｖ）プロキシ及びトランスポート・サーバ。
【００４５】
この点に関して、管理モジュールは、ＢＭ−ＳＣの内部構成要素を制御することに関与する。管理モジュールは、その遠隔管理を可能にし、また、ユーザ設備（ＵＥ）が利用可能なコンテンツにアクセスすることを可能にする、例えばインターネットに基づくインターフェースのような、外部インターフェースを提供してよい。更に、管理モジュールは、また、サービスが利用可能になる場合に、サービスの送信を開始するために使用されてよい。更にまた、管理モジュールは、また、ストリーミング・サーバによって、ＭＢＭＳコンテンツ・ストリーム自体のみならず、コンテンツ・ストリームを暗号化するために使用されるＭＢＭＳトランスポート・キー（ＭＴＫ）の生成及び分配を開始する。結果として、管理モジュールは、サービス・アナウンス・ロジック３２０及びメンバーシップ・ロジック３４０の各機能を実行するよう適合されてよい。
【００４６】
ストリーミング・サーバは、ＭＢＭＳトラフィック・キー（ＭＴＫ）の配信のためのマルチメディア・インターネット・キーイング（ＭＩＫＥＹ）のみならず、ブロードキャスティング／マルチキャスティングのためのＭＢＭＳコンテンツ・ストリームを送信する。ストリーミング・サーバは、また、３ＧＰＰ  ＴＳ２６．３４６で定義される前方誤り訂正（ＦＥＣ（Forward  Error  Correction））レイヤのみならず、ＭＴＫを用いてストリームを暗号化するためにセキュア実時間トランスポート・プロトコル（ＳＲＴＰ（Secure  Real-time  Transport  Protocol））を自身に組み入れる。このようにして、ストリーミング・サーバは、部分的にセッション及び送信ロジック／機能３３０を実行するよう適合される。
【００４７】
キー管理及び分配ロジックは、ＭＴＫ及びＭＢＭＳサービス・キー（ＭＳＫ）を生成し、それらをストリーミング・サーバに提供する。このように、キー管理及び分配ロジックは、セキュリティ機能３５０を実行するよう適合される。
【００４８】
ここで図４を参照すると、本発明の第１実施例に従ってブロードキャスト及び／又はマルチキャスト・コンテンツを提供する通信システム４００が表されている。
【００４９】
システム４００は、オペレータ・ネットワーク４２０に結合される１又はそれ以上のＵＥ４１０を有する。オペレータ・ネットワーク４２０は、例えば、オペレータＢＭ−ＳＣ４３０のようなプロプライアタリＢＭ−ＳＣに結合される。システム４００は、共有ＭＢＭＳネットワーク４４０に結合される共有ＢＭ−ＳＣ４５０を更に有する。その又は夫々のＵＥ４１０は、ＭＢＭＳネットワーク４４０からコンテンツを受信するよう構成される。
【００５０】
コンテンツは、オペレータＢＭ−ＳＣ４３０に供給され、共有ＢＭ−ＳＣ４５０に転送される。次いで、共有コンテンツは、その又は夫々のＵＥ４１０が“リスニング（listening）”を行う場合に、共有ＢＭ−ＳＣ４５０によって共有ＭＢＭＳネットワーク４４０を介して特定のマルチキャストＩＰアドレスへストリーミングされる。ＵＥ４１０へのコンテンツの提供については、以下で更に詳しく記載する。
【００５１】
図５は、図４のオペレータＢＭ−ＳＣ４３０及び共有ＢＭ−ＳＣ４５０の論理構成要素の例となる実施形態を表す。当業者には明らかなように、発明概念を記載するために必要なそれらの論理／機能構成要素のみが表されており、然るに、各ＢＭ−ＳＣは更なる論理／機能構成要素を有してよく、例えば、オペレータＢＭ−ＳＣは、ブートストラッピング・サーバ機能並びにそれ自身のプロキシ及びトランスポート・サーバを有してよい。
【００５２】
表される実施形態について、オペレータＢＭ−ＳＣ４３０は、少なくとも管理モジュール５３０、キー管理及び分配ロジック５４０、並びにストリーミング・サーバ５５０を有する。共有ＢＭ−ＳＣ４５０は、プロキシ及びトランスポート・サーバ５６０を有する。
【００５３】
ここで図６を参照すると、図４に表される実施例に従うＭＢＭＳサービスの提供のための信号伝達フローの例が表されている。
【００５４】
信号伝達フローは、オペレータが、例えば、オペレータＢＭ−ＳＣ４３０の管理モジュール５３０へサービス記述を供給することによって（信号‘１’）、例えばモバイルＴＶサービスのようなサービスを定義することから始まる。
【００５５】
次いで、管理モジュール５３０は、例えば、３ＧＰＰ  ＴＳ２６．３４６で定義される拡張マークアップ言語（ＸＭＬ（eXtensible  Mark-up  Language））フォーマットで、サービス記述／告示の構成及び分配を行う（信号‘２’）。サービス記述／告示は、例えばハイパー・テキスト・トランスポート・プロトコル（ＨＴＴＰ（Hyper  Text  Transport  Protocol））又はセッション開始プロトコル（ＳＩＰ（Session  Initiation  Protocol））のようなユニキャスト・ベアラ（bearers）及びインタラクティブなメカニズムを用いて、例えばＵＥ４１０に分配されてよい。代替的に、管理モジュール５３０は、例えば一方向トランスポートでのファイル配信（ＦＬＵＴＥ（File  Delivery  over  Unidirectional  Transport））のようなプロトコルを有するマルチキャスト配信メカニズムを使用してよいと考えられる。サービス記述／告示は、３ＧＰＰ  ＴＳ２６．３４６で定義されるＩＰマルチキャスト・アドレス及び／又はテンポラリ・モバイル・グループ・アイデンティティ（ＴＭＧＩ（Temporary  Mobile  Group  Identity））の形でＵＥへのＩＰマルチキャスト・ストリーム（すなわち、ＭＢＭＳサービス）を識別する。
【００５６】
次に、管理モジュール５３０は、共有ＢＭ−ＳＣ４５０のトランスポート及びプロキシ・サーバ５６０へ「セッション開始」を送信することで（信号‘３’）「セッション開始」プロシージャを開始する。
【００５７】
「セッション開始」プロシージャの例は、３ＧＰＰ  ＴＳ２９．０６１のセクション１７．５．２で見つけられ得る。この場合に、プロキシＧｍｂインターフェースとして機能するトランスポート及びプロキシ・サーバ５６０は、共有ＭＢＭＳネットワーク４４０のゲートウェイＧＰＲＳサポート・ノード（ＧＧＳＮ）に再認証要求（ＲＡＲ（Re-Auth-Request））を伝える（信号‘４’）。ＲＡＲメッセージは、ＧＳＳＮに、送信が開始されるところであることを知らせる。トランスポート及びプロキシ・サーバ５６０並びに共有ネットワーク４４０のＧＳＳＮは、また、「セッション開始」メッセージにおいて定義される関連するＩＰマルチキャスト・アドレスについてのリスニングを開始する。
【００５８】
次いで、管理モジュール５３０は、キー管理及び分配ロジック５４０によるＭＴＫ及びＭＳＫの生成を開始する（信号‘５’）。ＭＴＫ及びＭＳＫを生成すると、キー管理及び分配ロジック５４０は、それらをストリーミング・サーバ５５０に供給する（信号‘６’）。
【００５９】
次に、管理モジュール５３０は、ストリーミング・サーバ５５０によって、マルチキャストＩＰアドレスへのＭＴＫの配信のために、ＭＩＫＥＹメッセージのストリーミング・セッションを開始する（信号‘７’）。管理モジュール５３０は、また、オペレータＢＭ−ＳＣ４３０に配置されているストリーミング・サーバ５５０によって、ＭＢＭＳコンテンツについてのストリーミング・セッションを開始する（信号‘８’）。
【００６０】
ストリーミング・サーバ５５０は、トランスポート及びプロキシ・サーバ５６０へＭＩＫＥＹメッセージ・ストリームを転送することによって（信号‘９’）、ＭＴＫを含み且つＭＳＫによって暗号化されているＭＩＫＥＹメッセージのマルチキャスティングを開始する。共有ＢＭ−ＳＣ４５０のトランスポート及びプロキシ・サーバ５６０は中継として機能し、予め「セッション開始」メッセージの中で示されているＩＰマルチキャスト・アドレスへ、共有ネットワーク４４０のＧＳＳＮへのＭＳＫにより暗号化されたＭＩＫＥＹメッセージを転送する（信号‘１０’）。次いで、ＭＩＫＥＹメッセージは、例えばＵＥ４０への共有ネットワーク４４０を介するマルチキャストである（信号‘１１’）。
【００６１】
次いで、オペレータＢＭ−ＳＣ４３０のストリーミング・サーバ５５０は、トランスポート及びプロキシ・サーバ５６０へコンテンツ・ストリームを転送することによって（信号‘１２’）、マルチキャストＩＰアドレスへのＭＴＫによって暗号化されたＭＢＭＳコンテンツ・ストリームのマルチキャストを開始する。ＭＩＫＥＹメッセージ・ストリームについてと同じようにして、共有ＢＭ−ＳＣ４５０のトランスポート及びプロキシ・サーバ５６０は中継として機能し、共有ネットワーク４４０のＧＳＳＮへＩＰマルチキャスト・パケットを転送する（信号‘１３’）。次いで、ＭＢＭＳコンテンツ・ストリームは、例えばＵＥ４１０への共有ネットワーク４４０を介するマルチキャストを行われる（信号‘１４’）。
【００６２】
ここで図７を参照すると、先と同じく、図４に表されている実施例に従って、ＵＥ（例えば、ＵＥ４１０）によるＭＢＭＳサービスのアクセスのための信号伝達フローの例が表されている。
【００６３】
ＵＥ側からの信号伝達は、ＵＥ４１０のユーザが、例えば、上述されるオペレータＢＭ−ＳＣ４３０からのサービス告示から得られるメニューから、サービスを選択することにより始まる（信号‘２１’）。
【００６４】
次いで、潜在的に、ＵＥ４１０は、ＵＥ４１０とＢＳＦ５７０との間の相互認証を提供するとともに、最初のキー‘Ｋｓ’を得るよう３ＧＰＰ認証及びキー一致（ＡＫＡ（Authentication  Key  Agreement））インフラストラクチャに基づいてＵＥがセッション・キーをブートすることを可能にするために、３ＧＰＰ  ＴＳ３２．２２０で記載されるように、オペレータ領域の範囲内でブートストラッピング・サーバ機能（ＢＳＦ（Bootstrapping  Server  Function））により実行されるジェネリック・ブートストラッピング・アーキテクチャ（ＧＢＡ（Generic  Bootstrapping  Architecture））を行う（信号‘２２’）。ＢＳＦは、オペレータＢＭ−ＳＣ４３０の範囲内に、又は表される実施形態に関してオペレータ領域内のどこにでも設けられてもよい。
【００６５】
次に、ＵＥ４１０は、オペレータＢＭ−ＳＣ４３０のキー管理及び分配ロジック５４０により、３ＧＰＰ  ＴＳ３３．２４６で定義されるように、ＭＢＭＳユーザ・サービス登録を行う（信号‘２３’）。３ＧＰＰ  ＴＳ３２．２２０で記載されるＧＢＡモデルについてネットワーク・アプリケーション・ファンクション（ＮＡＦ（Network  Application  Function））の機能を実行するキー管理及び分配ロジック５４０は、関連するＭＲＫキーを生成し且つＵＥ４１０を認証するようＢＳＦから共有秘密キーを得る（信号‘２４’）。
【００６６】
次いで、ＵＥ４１０は、３ＧＰＰ  ＴＳ３２．２４６で定義されるプロシージャを用いて、ＭＳＫ要求を実行する（信号‘２５’）。次いで、キー管理及び分配ロジック５４０は、ＭＳＫをＵＥ４１０に送る（信号‘２６’）。
【００６７】
ＭＳＫを受け取ると、ＵＥ４１０は、ＭＴＫを取り出すために、上述されるように、共有ネットワーク４４０を介してマルチキャストをされたＭＩＫＥＹメッセージを復号化することができる（ステップ‘２７’）。ＭＴＫを取り出すと、ＵＥ４１０は、ＭＢＭＳコンテンツ・ストリームを復号化して（ステップ‘２８’）、サービスにアクセスすることができる。
【００６８】
図７の実施例の１つの付加的な利点は、ＵＥが共有ネットワークの補償範囲外に移動する場合に生じ、ユニキャスト・ベアラを用いることに関連するオペレータ・ネットワークからのみ信号を受信することができる。その場合に、ＵＥが補償範囲の外であると検出する場合に、それは、オペレータのＢＭ−ＳＣストリーミング・サーバへの実時間ストリーミング・プロトコル（ＲＴＳＰ）要求を開始し、最小限の中断時間を有して共有ネットワークで受信するために用いた同じコンテンツを受信し続けることができる。同じコンテンツを提供するために使用されるＲＴＳＰユニフォーム・リソース・ロケータ（ＵＲＬ（Uniform  Resource  Locator））は、受信したＥＳＧの部分としてＵＥへ示されてよい。
【００６９】
明らかなように、既知のＢＭ−ＳＣの機能は、例えば、オペレータＢＭ−ＳＣ４３０のようなプロプライアタリ（proprietary）ＢＭ−ＳＣと共有ＢＭ−ＳＣ４４０との間で分けられる。具体的に、プロプライアタリＢＭ−ＳＣは、サービス告示及びメンバーシップ機能を実行するとともに、共有ＢＭ−ＳＣによってＭＢＭＳコンテンツのブロードキャスト／マルチキャストを開始又はトリガするよう構成される管理モジュールを有する。更に、共有ＢＭ−ＳＣは、プロプライアタリＢＭ−ＳＣによる開始において、共有ネットワークを介してＭＢＭＳコンテンツのブロードキャスト／マルチキャストを行うよう構成されるプロキシ及びトランスポート・サーバを有する。
【００７０】
このようにして、オペレータ領域とともにサービス告示及びメンバーシップ機能を配置することによって、より高度なサービス（例えば、アクセス制御及びチャージング）は、例えば、共有ＭＢＭＳ領域の中に配置されるよりもむしろ、ネットワークオペレータの領域の中に保持されてよい。
【００７１】
更に、それは、オペレータ等が、それら自身の夫々の領域で予め利用可能である既存の機能を再利用することを可能にする。加えて、上記の実施形態は、論理要素又は設備の重複を最小限とする。
【００７２】
表される実施形態について、プロプライアタリＢＭ−ＳＣは、キー管理及び分配ロジックを更に有する。このようにして、キーの管理及び分配、並びに他のセキュリティ特性は、依然として、例えばオペレータ領域の中にある。
【００７３】
更に、セッション及び送信機能を実行するよう構成されるストリーミング・サーバを有するプロプライアタリＢＭ−ＳＣは、ＭＢＭＳコンテンツが、例えばオペレータ領域を出る前に、キー管理及び分配ロジックによって分配されるキー等を用いて暗号化されることを可能にし、それによって、更にセキュリティを改善する。
【００７４】
当業者には明らかなように、オペレータ・ネットワークは時間とともに増強され、そのようなものとして、実質的に広範囲の地理的補償範囲を有してよい。しかし、ＭＢＭＳサービスを提供する共有ネットワークは、このような広範囲の地理的補償範囲を有さなくともよい。結果として、ＵＥは、共有ネットワークの地理的補償範囲の外に移動してよい。ＵＥがＭＢＭＳブロードキャスト／マルチキャスト・セッションに参加している場合に、ＵＥは、共有ネットワークからのブロードキャスト／マルチキャスト信号を喪失しうる。
【００７５】
従って、オペレータＢＭ−ＳＣを提供することによって、ＵＥは、共有ネットワークの信号を喪失したことを、オペレータＢＭ−ＳＣ、又はオペレータ領域内のその他要素へ知らせてよい。次いで、オペレータＢＭ−ＳＣは、ユニキャスト・ベアラ及びＲＴＳＰストリーミング・メカニズムを介し、オペレータ・ネットワークを介してコンテンツを提供してよく、ＵＥが最小限の中断を有してＭＢＭＳコンテンツを受信することを可能にする。
【００７６】
これはオペレータが有益な帯域幅を消費することを必要とするが、ＵＥが共有ネットワーク補償範囲の外に移動する場合にこのような通信をサポートすることしか必要とされないので、これを必要とするＵＥの数は比較的小さいと見込まれる。
【００７７】
ここで図８を参照すると、本発明の第２実施例に従ってブロードキャスト及び／又はマルチキャスト・コンテンツを提供する通信システム８００が表されている。
【００７８】
図４の実施例と同じように、システム８００は、オペレータ・ネットワーク８２０に結合される１又はそれ以上のＵＥ８１０を有してよい。オペレータ・ネットワーク８２０は、例えばオペレータＢＭ−ＳＣ８３０のようなプロプライアタリＢＭ−ＳＣに結合されてよい。システム８００は、共有ＭＢＭＳネットワーク８４０に結合される共有ＢＭ−ＳＣ８５０を更に有する。その又は夫々のＵＥ８１０は、ＭＢＭＳネットワーク８４０からコンテンツを受信するよう構成される。
【００７９】
図８に表されているこの第２実施例について、コンテンツは共有ＢＭ−ＳＣ８５０へ提供される。次いで、コンテンツは、その又は夫々のＵＥ８１０がリスニングを行う場合に、共有ＭＢＭＳネットワーク８４０を介して、共有ＢＭ−ＳＣ８５０によって特定のＩＰマルチキャスト・アドレスへストリーミングされる。ＵＥ８１０へのコンテンツの提供については、以下で更に詳しく記載する。
【００８０】
図９は、図８のオペレータＢＭ−ＳＣ８３０及び共有ＢＭ−ＳＣ８５０の論理／機能構成要素の例を表す。先と同じく、発明概念を記載するために必要なそれらの論理／機能構成要素しか表されておらず、然るに、各ＢＭ−ＳＣは、更なる論理又は機能構成要素を有してよい。
【００８１】
表されている実施例について、オペレータＢＭ−ＳＣ８３０は、管理モジュール９３０と、キー管理及び分配ロジック９４０とを有する。この第２実施例について、ストリーミング・サーバ９５０は、プロキシ及びトランスポート・サーバ９６０とともに、共有ＢＭ−ＳＣ９５０に配置されている。
【００８２】
ここで図１０を参照すると、図８に表されている第２実施例に従うＭＢＭＳサービスの提供のための信号伝達フローの例が表されている。
【００８３】
明らかなように、様々な構成要素の間の信号伝達フローは、図６の信号伝達フローと実質的に同じである。しかし、ストリーミング・サーバ９５０がこの場合に、オペレータＢＭ−ＳＣに対立する共有ＢＭ−ＳＣに配置されていることにより、２つのＢＭ−ＳＣの間を通る信号及びデータは変わっている。
【００８４】
図６に表されている第１実施例について、「セッション開始」メッセージ（信号‘３’）、ＭＴＫを含み且つＭＳＫによって暗号化されているＭＩＫＥＹストリーム・メッセージ（信号‘９’）、並びにＭＴＫによって暗号化されているＭＢＭＳコンテンツ・ストリーム（信号‘１２’）は、オペレータＢＭ−ＳＣから共有ＢＭ−ＳＣ８５０へ送られる。
【００８５】
図１０に表されている第２実施例について、「セッション開始」メッセージ（信号‘４３’）は、依然としてオペレータＢＭ−ＳＣ８３０から共有ＢＭ−ＳＣ８５０へ送られる。しかし、ＭＩＫＥＹ及び暗号化されたコンテンツ・ストリームが共有ＢＭ−ＳＣ８５０へ送られる代わりに、ＭＴＫ及びＭＳＫが共有ＢＭ−ＳＣ８５０へ送られている（信号‘４６’）。これにより、共有ＢＭ−ＳＣ８５０、特に、共有ＢＭ−ＳＣ８５０にあるストリーミング・サーバは、オペレータ領域内で生成されるキーを用いて、ＭＴＫ及びコンテンツ・ストリーム自体を暗号化することができる。
【００８６】
オペレータＢＭ−ＳＣ８３０と共有ＢＭ−ＳＣ８５０との間を通る残りの信号は、暗号化されたＭＩＫＥＹ及び暗号化されたコンテンツ・ストリームについてのストリーミング・セッションを開始するためのものである。このようにして、ＭＢＭＳサービスのスケジューリングはオペレータ領域内にとどまる。
【００８７】
当業者には明らかなように、ＵＥによるＭＢＭＳサービスのアクセスのための信号伝達フローは、図７に表されるものと同じである。このようにして、メンバーシップ、チャージング、認証等は、オペレータ領域内にとどまってよい。
【００８８】
ここで図１１を参照すると、本発明の第３実施例に従ってブロードキャスト及び／又はマルチキャスト・コンテンツを提供する通信システム１１００が表されている。
【００８９】
図４及び図８の実施例と同じように、通信システム１１００は、オペレータ・ネットワーク１１２０に結合される１又はそれ以上のＵＥ１１１０を有する。オペレータ・ネットワーク１１２０は、例えばオペレータＢＭ−ＳＣ１１３０のようなプロプライアタリＢＭ−ＳＣに結合される。
【００９０】
通信システム１１００は、共有ＭＢＭＳネットワーク１１４０に結合される共有ＢＭ−ＳＣ１１５０を更に有する。その又は夫々のＵＥ１１１０は、共有ＭＢＭＳネットワーク１１４０からコンテンツを受信するよう構成される。
【００９１】
図１１に表されているこの第３実施例について、オペレータ特有のコンテンツは、オペレータＢＭ−ＳＣ１１３０に提供される。更に、共通コンテンツは、共有ＢＭ−ＳＣ１１５０に提供される。オペレータＢＭ−ＳＣ１１３０は、オペレータ特有のコンテンツを共有ＢＭ−ＳＣ１１５０に転送する。次いで、共有ＢＭ−ＳＣ１１５０は、オペレータ特有のコンテンツ及び共通コンテンツの両方を、その又は夫々のＵＥ１１１０へ共有ＭＢＭＳネットワーク１１４０を介してブロードキャスト／マルチキャストすることができる。
【００９２】
図１２は、図１１のオペレータＢＭ−ＳＣ１１３０及び共有ＢＭ−ＳＣ１１５０の論理／機能構成要素の例を表す。先と同じく、発明概念を記載するために必要なそれらの論理／機能構成要素しか表されておらず、然るに、各ＢＭ−ＳＣは、更なる論理／機能構成要素（図示せず。）を有してよい。
【００９３】
図４に表されている実施例と同じように、オペレータＢＭ−ＳＣ１１３０は、管理モジュール１２３０と、キー管理及び分配ロジック１２４０と、ストリーミング・サーバ１２５０とを有する。この第３実施例について、共有ＢＭ−ＳＣ１１５０は、また、プロキシ及びトランスポート・サーバ１２６０とともに、ストリーミング・サーバ１２７０を有してよい。
【００９４】
このようにして、例えば、図１１に表されているオペレータ・コンテンツのような、オペレータＢＭ−ＳＣへ提供されるコンテンツについて、図６と同じ信号伝達フローが用いられる。対照的に、例えば、図１１に表されている共通コンテンツのような、共有ＢＭ−ＳＣへ提供されるコンテンツについて、図１０と同じ信号伝達フローが用いられる。
【００９５】
明らかなように、コンテンツの提供が、オペレータ領域内にサービス告示及びメンバーシップ機能を配置することによって、プロプライアタリＢＭ−ＳＣと共有ＢＭ−ＳＣとの間で分けられる場合でさえ、より高度なサービス機能（例えば、アクセス制御及びチャージング）は、共有ＭＢＭＳ領域内に配置されるよりもむしろ、例えば、ネットワークオペレータの領域の範囲内に保持されてよい。
【００９６】
更に、それは、オペレータ等が、それら自身の領域で予め利用可能である既存の機能を再利用することを可能にする。
【００９７】
表される実施形態について、プロプライアタリＢＭ−ＳＣは、キー管理及び分配ロジック１２４０を更に有する。このようにして、キーの管理及び分配、並びに他のセキュリティ特性は、例えば、オペレータ領域内にとどまる。
【００９８】
共有ＢＭ−ＳＣがネットワークオペレータ（例えば、プロプライアタリＢＭ−ＳＣが属するオペレータへの競合相手）によって提供されてよいことは、本発明の意図の範囲内である。代替的に、共有ＢＭ−ＳＣはサードパーティに属してよい。すなわち、それは、例えば、汎用パケット無線システム（ＧＰＲＳ）、ユニバーサル移動体通信システム（ＵＭＴＳ）及び次世代パケットシステム（ＥＰＳ）等の電話通信システムを提供する従来のネットワークオペレータではない。
【００９９】
上述されるマルチメディア放送マルチキャスト・サービスを提供する方法及び装置が、単に一例として、下記の利点のうち少なくとも１つを提供することが理解される：
（ｉ）例えばアクセス制御及びチャージング等のより高度なサービス機能は、共有ＭＢＭＳ領域内に配置されるよりむしろ、例えば、ネットワークオペレータの領域の範囲内で保持されてよいこと；
（ｉｉ）オペレータ等は、既存の、又は委託された機能を再利用可能であること；及び／又は
（ｉｉｉ）キーの管理及び分配並びに他のセキュリティ特性は、例えば、オペレータ領域内にとどまること。
【０１００】
本発明は特定の実施形態及び例となる図に関して記載されてきたが、当業者には当然に、本発明は記載される実施形態又は図に限定されない。本発明の実施形態は、いくつかの場合に、ＵＭＴＳ専門用語を用いて記載されるが、当業者には当然に、斯かる用語は、また、この中で一般的な意味でも使用され、本発明はこのようなシステムに限定されない。
【０１０１】
当業者には当然に、種々の実施形態の動作は、必要に応じて、ハードウェア、ソフトウェア、ファームウェア、又はそれらの組み合わせを用いて実施されてよい。例えば、いくつかの処理は、ソフトウェア、ファームウェア、又はハードワイヤードのロジックの制御下にあるプロセッサ又は他のデジタル回路を用いて実行され得る。（語「ロジック（logic）」は、ここでは、列挙されている機能を実行するよう当業者によって認識されうるように、固定ハードウェア、プログラム可能なロジック及び／又はそれらの適切な組み合わせをいう。）ソフトウェア及びファームウェアは、コンピュータ読出可能な媒体に記憶され得る。いくつかの他の処理は、当業者によく知られているように、アナログ回路を用いて実施され得る。更に、メモリ又は他の記憶装置、並びに通信コンポーネントは、本発明の実施形態で用いられてよい。
【０１０２】
図１３は、本発明の実施形態における処理機能を実施するために用いられる典型的なコンピュータ・システム１３００を表す。この種のコンピュータ・システムは、例えば、ノードＢ（具体的に、ノードＢのスケジューラ）、コアネットワーク要素（例えば、ＧＳＳＮ）、及びＵＥで用いられてよい。他のコンピュータ・システム又はアーキテクチャを用いて本発明を実施する方法は、当業者には明らかである。コンピュータ・システム１３００は、例えば、デスクトップ、ラップトップ若しくはノートブック型のコンピュータ、手持ち式のコンピュータ装置（ＰＤＡ、携帯電話機、パームトップ等）、メインフレーム、サーバ、クライアント、又は所与の用途若しくは環境について望まれ若しくは適切であるその他タイプの特別の目的の若しくは汎用のコンピュータ装置に相当しうる。コンピュータ・システム１３００は、１又はそれ以上のプロセッサ、例えば、プロセッサ１３０４を有することができる。プロセッサ１３０４は、例えば、マイクロプロセッサ、マイクロコントローラ、又は他の制御ロジック等の汎用の又は特別の目的の処理エンジンを用いて実施され得る。この例で、プロセッサ１３０４は、バス１３０２又は他の通信媒体に接続されている。
【０１０３】
コンピュータ・システム１３００は、また、プロセッサ１３０４によって実行される情報及び命令を記憶するための、例えば、ランダムアクセスメモリ（ＲＡＭ）又は他の動的メモリのような、メインメモリ１３０８を有することができる。メインメモリ１３０８は、また、プロセッサ１３０４によって実行される命令の実行中に一時変数又は他の中間情報を記憶するためにも使用されてよい。コンピュータ・システム１３００は、同様に、プロセッサ１３０４のための静的な情報及び命令を記憶するために、バス１３０２に結合されている読出専用メモリ（ＲＯＭ）又は他の静的記憶装置を有してよい。
【０１０４】
コンピュータ・システム１３００は、また、情報記憶システム１３１０を有してよい。情報記憶システム１３１０は、例えば、媒体ドライブ１３１２及び取り外し可能な記憶インターフェース１３２０を有してよい。媒体ドライブ１３１２は、例えば、ハードディスクドライブ、フロッピーディスク（登録商標）ドライブ、磁気テープドライブ、光ディスクドライブ、コンパクトディスク（ＣＤ）若しくはデジタルビデオドライブ（ＤＶＤ）読出若しくは書込ドライブ（Ｒ若しくはＷ）、又は他の取り外し可能な若しくは固定の媒体ドライブのような、固定の又は取り外し可能な記憶媒体をサポートするドライブ又は他のメカニズムを有してよい。記憶媒体１３１８は、例えば、媒体ドライブ１３１２によって読み出され又は書き込まれるハードディスク、フロッピーディスク（登録商標）、磁気テープ、光ディスク、ＣＤ若しくはＤＶＤ、又は固定の若しくは取り外し可能な媒体を有してよい。斯かる例が表すように、記憶媒体１３１８は、特定のコンピュータ・ソフトウェア又はデータを記憶しているコンピュータ読出可能な記憶媒体を有してよい。
【０１０５】
代替の実施形態で、情報記憶システム１３１０は、コンピュータプログラム又は他の命令若しくはデータがコンピュータ・システム１３００にロードされることを可能にする他の同様のコンポーネントを有してよい。斯かるコンポーネントは、例えば、プログラム・カートリッジ及びカートリッジ・インターフェース、リムーバブル・メモリ（例えば、フラッシュメモリ若しくは他のリムーバブル・メモリ・モジュール）及びメモリスロット、並びにソフトウェア及びデータが取り外し可能な記憶ユニット１３１８からコンピュータ・システム１３００に転送されることを可能にする他の取り外し可能な記憶ユニット１３２２及びインターフェース１３２０のような、取り外し可能な記憶ユニット１３２２及びインターフェース１３２０を有してよい。
【０１０６】
コンピュータ・システム１３００は、また、通信インターフェース１３２４を有することができる。通信インターフェース１３２４は、ソフトウェア及びデータがコンピュータ・システム１３００と外部装置との間を転送されることを可能にするために使用され得る。通信インターフェース１３２４の例には、モデム、ネットワーク・インターフェース（例えば、イーサネット（登録商標）若しくは他のＮＩＣカード）、通信ポート（例えば、ユニバーサル・シリアル・バス（ＵＳＢ）ポート）、ＰＣＭＣＩＡスロット及びカード等が含まれうる。通信インターフェース１３２４を介して転送されるソフトウェア及びデータは、通信インターフェース１３２４によって受信可能な電子信号、電磁気信号、光信号、又は他の信号等の信号形式をとる。斯かる信号は、チャネル１３２８を介して通信インターフェース１３２４へ供給される。このチャネル１３２８は信号を運ぶことができるとともに、無線媒体、有線若しくはケーブル、光ファイバ、又は他の通信媒体を用いて実施されてよい。チャネルのいくつかの例には、電話回線、携帯電話リンク、ＲＦリンク、ネットワーク・インターフェース、ローカル若しくはワイド・エリア・ネットワーク、及び他の通信チャネルが含まれる。
【０１０７】
本明細書で、語「コンピュータプログラム（プロダクト）」、「コンピュータ読出可能な媒体」及びその他は、概して、例えば、メモリ１３０８、記憶装置１３１８、又は記憶ユニット１３２２を表すために使用されてよい。これらの及び他の形態のコンピュータ読出可能な媒体は、プロセッサ１３０４に特定の動作を実行させるよう、プロセッサ１３０４によって使用される１又はそれ以上の命令を記憶してよい。概して「コンピュータプログラムコード」（コンピュータプログラム又は他のグルーピングの形でグループ化されてよい。）と呼ばれるこのような命令は、実行される場合に、コンピュータ・システム１３００が、本発明の実施形態に係る機能を実行することを可能にする。留意すべきは、コードは、直接的に、プロセッサに、そのように行うようコンパイルされ、及び／又はそのように行うよう他のソフトウェア、ハードウェア及び／又はファームウェア要素（例えば、標準的な機能を実行するためのライブラリ）と結合される特定の動作を実行させてよい点である。
【０１０８】
要素がソフトウェアを用いて実施される実施形態では、ソフトウェアは、コンピュータ読出可能な媒体に記憶され、例えば、取り外し可能な記憶装置１３１４、ドライブ１３１２若しくは通信インターフェース１３２４を用いてコンピュータ・システム１３００にロードされてよい。制御ロジック（本例では、ソフトウェア命令又はコンピュータプログラムコード）は、プロセッサ１３０４によって実行される場合に、プロセッサ１３０４に、ここに記載される本発明の機能を実行させる。
【０１０９】
明らかなように、明りょうさのために、上記記載は、種々の機能ユニット及びプロセッサを参照して本発明の実施形態を記載している。しかし、明らかなように、種々の機能ユニット、プロセッサ又は領域の間の機能の如何なる適切な分配も、本発明を損なうことなく使用されてよい。例えば、別々のプロセッサ又はコントローラによって実行されるよう表される機能は、同じプロセッサ又はコントローラによって実行されてよい。従って、特定機能ユニットへの言及は、厳密な論理的又は物理的な構造又は機構を示すよりもむしろ、記載される機能を提供する適切な手段の参照としてしか考えられない。
【０１１０】
本発明はいくつかの実施形態に関連して記載されてきたが、本発明は、ここに挙げられている特定の形態に限定されるよう意図されない。むしろ、本発明の適用範囲は、特許請求の範囲によってのみ限定される。更に、特徴は具体的な実施形態に関連して記載されるように見えるが、当業者には当然に、記載される実施形態に係る様々な特徴は、本発明に従って組み合わされてよい。
【０１１１】
更に、個別に挙げられているが、複数の手段、要素又は方法ステップは、例えば、単一のユニット又はプロセッサによって実施されてよい。更に、個々の特徴は異なる請求項に含まれうるが、これらは、場合により、有利に組み合わされてよく、異なる請求項における包含は、特徴の組み合わせが実行可能及び／又は有利でないことを暗示しない。また、１つのカテゴリの請求項における特徴の包含は、必要に応じて、他の請求項カテゴリにも同じく適用可能であってよい。
【０１１２】
本発明はいくつかの実施形態に関連して記載されてきたが、それは、ここに挙げられている特定の形態に限定されるよう意図されない。むしろ、本発明の適用範囲は、添付の特許請求の範囲によってのみ限定される。更に、特徴は具体的な実施形態に関連して記載されるように見えるが、当業者には当然に、記載される実施形態に係る様々な特徴は、本発明に従って組み合わされてよい。特許請求の範囲で、語「有する」は、他の要素又はステップの存在を除かない。
【０１１３】
更に、個々に挙げられているが、複数の手段、要素又は方法ステップは、例えば、単一のユニット又はプロセッサによって実施されてよい。更に、個々の特徴は異なる請求項に含まれうるが、これらは、場合により、有利に組み合わされてよく、異なる請求項における包含は、特徴の組み合わせが実行可能及び／又は有利でないことを暗示しない。また、１つのカテゴリの請求項における特徴の包含は、このカテゴリへの限定を暗示しているのではなく、必要に応じて、他の請求項カテゴリに同じく適用可能である。
【０１１４】
更に、特許請求の範囲における特徴の順序は、特徴が実行されるべき何らかの具体的な順序を暗示しているのではなく、具体的に、方法クレームにおける個々のステップの順序は、ステップがこの順序で実行されるべきことを暗示しない。むしろ、ステップは、如何なる適切な順序で実行されてもよい。更に、単一参照は複数個を除かない。従って、「１つの」、「１の」、「第１の」、「第２の」等への言及は複数個を排除しない。
【図１】
2010527211.tif 000003
【図２】
2010527211.tif 000004
【図３】
2010527211.tif 000005
【図４】
2010527211.tif 000006
【図５】
2010527211.tif 000007
【図６】
2010527211.tif 000008
【図７】
2010527211.tif 000009
【図８】
2010527211.tif 000010
【図９】
2010527211.tif 000011
【図１０】
2010527211.tif 000012
【図１１】
2010527211.tif 000013
【図１２】
2010527211.tif 000014
【図１３】
2010527211.tif 000015
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
複数のロジック要素を有する放送マルチキャスト・サービス・センタ（ＢＭ−ＳＣ）と、マルチメディア放送マルチキャスト・サービス（ＭＢＭＳ）コンテンツを提供する共有ネットワーク及びプロプライアタリ・ネットワークとを有する通信システムを介してＭＢＭＳを提供する方法であって、
前記共有ネットワークを介するＭＢＭＳコンテンツ配信をサポートするようロジック要素の第１の部分を割り当てるステップと、
前記プロプライアタリ・ネットワークを介するＭＢＭＳコンテンツ配信をサポートするようロジック要素の第２の部分を割り当てるステップと
を有する方法。
【請求項２】
前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップは、
ＭＢＭＳコンテンツ配信が前記共有ネットワーク又は前記プロプライアタリ・ネットワークのうち少なくとも１つに送られるかどうか、
ＭＢＭＳコンテンツがＭＢＭＳネットワークを共有するサービス・プロバイダの間で共通であるかどうか、
ＭＢＭＳコンテンツ配信が前記プロプライアタリ・ネットワークのオペレータ専用であるかどうか
のうち少なくとも１つに基づく、請求項１記載の方法。
【請求項３】
ＢＭ−ＳＣのロジック要素の一部を割り当てるステップは、
ＭＢＭＳコンテンツ配信をトリガするストリーミング・サーバ・ロジックを割り当てるステップ、
トランスポート・キー配信をトリガするストリーミング・サーバ・ロジックを割り当てるステップ
のうち少なくとも１つを有する、請求項１記載の方法。
【請求項４】
ＭＢＭＳコンテンツ配信をトリガするストリーミング・サーバ・ロジックは、前記共有ネットワークを介するＭＢＭＳコンテンツ配信をトリガするよう前記ロジック要素の第１の部分、及び前記プロプライアタリ・ネットワークを介するＭＢＭＳコンテンツ配信をトリガするよう前記ロジック要素の第２の部分の両方で割り当てられる、請求項３記載の方法。
【請求項５】
前記トランスポート・キー配信をトリガするストリーミング・サーバ・ロジックは、前記共有ネットワークを介するトランスポート・キー配信をトリガするよう前記ロジック要素の第１の部分、及び前記プロプライアタリ・ネットワークを介するトランスポート・キー配信をトリガするよう前記ロジック要素の第２の部分の両方で割り当てられる、請求項３記載の方法。
【請求項６】
前記共有ネットワークを介して遠隔通信ユニットによってマルチメディア放送マルチキャスト・サービスを受信するステップと、
前記共有ネットワークからの補償範囲の外にあることを前記遠隔通信ユニットによって検出するステップと、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するステップと
を更に有する請求項１記載の方法。
【請求項７】
前記プロプライアタリ・ネットワークを介するＭＢＭＳコンテンツ配信をサポートするようＢＭ−ＳＣのロジック要素の第１の部分及び／又はロジック要素の第２の部分を割り当てるステップは、前記プロプライアタリ・ネットワークへ管理モジュール・ロジックを割り当てるステップを有する、請求項１記載の方法。
【請求項８】
共有ネットワーク及びプロプライアタリ・ネットワークを有する通信システムを介してマルチメディア放送マルチキャスト・サービス（ＭＢＭＳ）を提供する放送マルチキャスト・サービス・センタ（ＢＭ−ＳＣ）であって、
前記共有ネットワークを介するＭＢＭＳコンテンツ配信をサポートすることができるロジック要素の第１の部分と、
前記プロプライアタリ・ネットワークを介するＭＢＭＳコンテンツ配信をサポートすることができるロジック要素の第２の部分と
を有する放送マルチキャスト・サービス・センタ。
【請求項９】
共有ネットワーク及びプロプライアタリ・ネットワークを有する通信システムを介してマルチメディア放送マルチキャスト・サービス（ＭＢＭＳ）を受信する遠隔ステーションであって、
前記共有ネットワークを介して放送マルチキャスト・サービス・センタ（ＢＭ−ＳＣ）からのＭＢＭＳコンテンツ配信を受信する受信器を有し、
前記受信器は、また、ＭＢＭＳコンテンツ配信及び少なくとも１つのトランスポート・キーのうち少なくとも１つを、同じＢＭ−ＳＣ及び異なるＢＭ−ＳＣのうち少なくとも１つから前記プロプライアタリ・ネットワークを介して受信することができる、遠隔ステーション。
【請求項１０】
共有ネットワーク及びプロプライアタリ・ネットワークを有する通信システムを介してマルチメディア放送マルチキャスト・サービス（ＭＢＭＳ）を受信する遠隔ステーションであって、
前記共有ネットワークを介してマルチメディア放送マルチキャスト・サービスを受信する受信器と、
前記共有ネットワークからの補償範囲の外にあることを検出する検出器と、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するロジックと
を有する遠隔ステーション。
【請求項１１】
共有ネットワーク及びプロプライアタリ・ネットワークを有し、マルチメディア放送マルチキャスト・サービス（ＭＢＭＳ）をサポートする通信システムであって、
前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有し、
前記ロジックは、また、前記プロプライアタリ・ネットワークを介するＭＢＭＳコンテンツ配信をサポートするよう前記ＢＭ−ＳＣのロジック要素の第２の部分を割り当てるよう配置される、通信システム。
【請求項１２】
マルチメディア放送マルチキャスト・サービス（ＭＢＭＳ）をサポートする実行可能なプログラムコードを有するコンピュータプログラムであって、
前記共有ネットワークを介するＭＢＭＳコンテンツ配信をサポートするよう放送マルチキャスト・サービス・センタ（ＢＭ−ＳＣ）のロジック要素の第１の部分を割り当てるプログラムコードと、
前記プロプライアタリ・ネットワークを介するＭＢＭＳコンテンツ配信をサポートするよう前記ＢＭ−ＳＣのロジック要素の第２の部分を割り当てるプログラムコードと
を有するコンピュータプログラム。
【請求項１３】
共有ネットワーク及びプロプライアタリ・ネットワークを有する通信システム上でマルチメディア放送マルチキャスト・サービス（ＭＢＭＳ）をサポートするよう配置される集積回路であって、
前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有し、
前記ロジックは、また、前記プロプライアタリ・ネットワークを介するＭＢＭＳコンテンツ配信をサポートするよう前記ＢＭ−ＳＣのロジック要素の第２の部分を割り当てるよう配置される、集積回路。
【請求項１４】
複数のロジック要素を有する放送マルチキャスト・サービス・センタ（ＢＭ−ＳＣ）と、マルチメディア放送マルチキャスト・サービス（ＭＢＭＳ）コンテンツを提供する共有ネットワーク及びプロプライアタリ・ネットワークとを有する通信システムを介してＭＢＭＳを提供する方法であって、
前記共有ネットワークを介して遠隔通信ユニットによってマルチメディア放送マルチキャスト・サービスを受信するステップと、
前記共有ネットワークからの補償範囲の外にあることを前記遠隔通信ユニットによって検出するステップと、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するステップと
を有する方法。
【請求項１５】
共有ネットワーク及びプロプライアタリ・ネットワークを有する通信システムを介してマルチメディア放送マルチキャスト・サービス（ＭＢＭＳ）を提供する放送マルチキャスト・サービス・センタ（ＢＭ−ＳＣ）であって、
前記共有ネットワークを介して遠隔通信ユニットから実時間ストリーミング・プロトコル（ＲＴＳＰ）を受信し、前記共有ネットワークからの補償範囲の外であると前記遠隔通信ユニットが検出することに応答して、当該放送マルチキャスト・サービス・センタが前記共有ネットワークを介して送信しているのと同じコンテンツ配信を前記プロプライアタリ・ネットワークを介して送信することができる受信器を有する放送マルチキャスト・サービス・センタ。
【国際調査報告】
2010527211.tif 000016
2010527211.tif 000017